(57)【要約】【課題】手探りでの嵌合作業中に第１ハウジングにおける嵌合面と第２ハウジングにおける嵌合面とを摺動させても第１端子と第２端子とが互いに当接することがなく、第１端子及び第２端子の損傷を確実に防止することができるとともに、手探りでの嵌合作業が容易であり、短時間で正確に嵌合作業を完了することができ、操作性が高く、信頼性が高くなるようにする。【解決手段】第１ハウジングのガイド凹部の入口端部の少なくとも一部には誘込み傾斜面が形成され、第２ハウジングの第２嵌合ガイド部をその一部を前記誘込み傾斜面に当接させてガイド凹部に挿入させる場合、第１ハウジングの嵌合面と第２ハウジングの嵌合面とが面一になった状態で第１端子と第２端子とが離間している。【選択図】図１
2010097724.tif 000002
【特許請求の範囲】
【請求項１】
（ａ）上側に嵌合面（１３ａ）が形成された島部（１３）と、該島部（１３）の両側に形成された挿入凹部（１２ａ）と、該挿入凹部（１２ａ）の両側に形成された側壁部（１４）と、前記島部（１３）の長手方向両端に配設された第１嵌合ガイド部（２１）と、該第１嵌合ガイド部（２１）に形成されたガイド凹部（２２）とを備え、第１端子（６１）が取付けられた第１ハウジング（１１）を有する第１コネクタ（１）と、
（ｂ）前記島部（１３）が挿入される凹溝部（１１３）と、該凹溝部（１１３）の両側に形成されるとともに、上側に嵌合面（１１２ａ）が形成され、前記挿入凹部（１２ａ）に挿入される凸部（１１２）と、前記凹溝部（１１３）の長手方向両端に配設され、前記ガイド凹部（２２）に挿入される第２嵌合ガイド部（１２２）とを備え、前記第１端子（６１）と接触する第２端子（１６１）が取付けられた第２ハウジング（１１１）を有し、前記第１コネクタ（１）と嵌合する第２コネクタ（１０１）とから成る基板対基板コネクタであって、
（ｃ）前記ガイド凹部（２２）の入口端部の少なくとも一部には誘込み傾斜面（２３）が形成され、
（ｄ）前記第２嵌合ガイド部（１２２）をその一部を前記誘込み傾斜面（２３）に当接させてガイド凹部（２２）に挿入させる場合、前記第１ハウジング（１１）の嵌合面（１３ａ）と前記第２ハウジング（１１１）の嵌合面（１１２ａ）とが面一になった状態で前記第１端子（６１）と第２端子（１６１）とが離間していることを特徴とする基板対基板コネクタ。
【請求項２】
前記第１ハウジング（１１）の嵌合面（１３ａ）はフラットであり、前記第１端子（６１）のいずれの部分も前記嵌合面（１３ａ）から突出せず、
前記第２ハウジング（１１１）の嵌合面（１１２ａ）はフラットであり、前記第２端子（１６１）のいずれの部分も前記嵌合面（１１２ａ）から突出しない請求項１に記載の基板対基板コネクタ。
【請求項３】
前記第１端子（６１）は、相互の間隔が弾性的に変化可能な第１接触部（６５）と第２接触部（６６）とを備え、
前記凸部（１１２）が前記挿入凹部（１２ａ）に挿入されると、前記第２端子（１６１）は前記第１接触部（６５）と第２接触部（６６）との間に進入する請求項１又は２に記載の基板対基板コネクタ。
【請求項４】
前記誘込み傾斜面（２３）は、前記嵌合面（１３ａ）に対する傾斜が緩やかな初期傾斜面部（２３ａ）と傾斜が急な後期傾斜面部（２３ｂ）とを備える請求項１〜３のいずれか１項に記載の基板対基板コネクタ。
【発明の詳細な説明】
【技術分野】
【０００１】
本発明は、基板対基板コネクタに関するものである。
【背景技術】
【０００２】
従来、一対の平行な回路基板同士を電気的に接続するために、基板対基板コネクタが使用されている。このような基板対基板コネクタは、一対の回路基板における相互に対向する面の各々に取付けられ、互いに嵌（かん）合して導通するようになっている（例えば、特許文献１参照。）。
【０００３】
図１２は従来の基板対基板コネクタを示す断面図である。
【０００４】
図において、８１１は第１回路基板８９１に実装された第１コネクタのハウジングとしての第１ハウジングであり、９１１は第２回路基板９９１に実装された第２コネクタのハウジングとしての第２ハウジングである。第１コネクタと第２コネクタとが嵌合することによって第１回路基板８９１と第２回路基板９９１とが電気的に接続される。
【０００５】
前記第１ハウジング８１１は、凹溝部８１２を備え、該凹溝部８１２内に複数の第１端子８６１が装填（てん）されている。各第１端子８６１は、第１回路基板８９１の接続パッドにはんだ付されるテール部８６２と、第２コネクタの第２端子９６１と接触する第１接触部８６４及び第２接触部８６５とを備える。
【０００６】
また、前記第２ハウジング９１１には、複数の第２端子９６１が装填されている。各第２端子９６１は、第２回路基板９９１の接続パッドにはんだ付されるテール部９６２と、第１コネクタの第１端子８６１と接触する接触部９６４とを備える。
【０００７】
さらに、前記第２ハウジング９１１の長手方向両端には挿入用凸部９１２が形成され、また、前記第１ハウジング８１１の長手方向両端には突出部８２２が形成されている。そして、第１コネクタと第２コネクタとを嵌合させる際には、前記突出部８２２に形成された凹部内に挿入用凸部９１２が収容されることによって、第１コネクタと第２コネクタとの位置決めが行われる。なお、突出部８２２に形成された凹部の入口端角部及び挿入用凸部９１２の先端角部にはテーパが形成されている。これにより、突出部８２２の凹部内への挿入用凸部９１２の進入がスムーズとなり、第１コネクタと第２コネクタとの位置決めが容易に行われるので、嵌合の作業性が向上する。
【特許文献１】特開２００８−８４７９５号公報
【発明の開示】
【発明が解決しようとする課題】
【０００８】
しかしながら、前記従来の基板対基板コネクタにおいては、手探りでの嵌合作業中に第１端子８６１と第２端子９６１とが擦れ合い、第１端子８６１及び第２端子９６１が損傷してしまう。第１コネクタと第２コネクタとを嵌合する場合、それぞれが、面積の大きい第１回路基板８９１の表面と第２回路基板９９１の表面とに実装されているので、オペレータが第１ハウジング８１１の嵌合面及び第２ハウジング９１１の嵌合面を目視することができず、手探りで嵌合作業を行わなければならないことが多い。このようなときに、オペレータは、手探りで、第１ハウジング８１１の嵌合面と第２ハウジング９１１の嵌合面とを摺（しゅう）動させながら、第１ハウジング８１１に対する第２ハウジング９１１の姿勢を調整して、挿入用凸部９１２を突出部８２２の凹部内に進入させる。
【０００９】
しかし、第１ハウジング８１１の嵌合面には突出部８２２に形成された凹部の入口端角部にテーパが形成されているだけであり、第２ハウジング９１１の嵌合面には挿入用凸部９１２の先端角部にテーパが形成されているだけであって、挿入用凸部９１２の突出部８２２の凹部内への進入を促進するための格別な部材は存在しない。
【００１０】
そのため、第１ハウジング８１１の嵌合面と第２ハウジング９１１の嵌合面とを摺動させている際に、第１端子８６１と第２端子９６１とが互いに当接して擦れ合い、第１端子８６１及び第２端子９６１が損傷してしまうことがある。また、嵌合作業を容易に行うことができず、嵌合作業に時間がかかってしまう。
【００１１】
本発明は、前記従来の基板対基板コネクタの問題点を解決して、第１コネクタの第１ハウジングにおける嵌合面と第２コネクタの第２ハウジングにおける嵌合面とが互いに面一になっても、第１コネクタの第１端子と第２コネクタの第２端子とが離間しているようにして、手探りでの嵌合作業中に第１ハウジングにおける嵌合面と第２ハウジングにおける嵌合面とを摺動させても第１端子と第２端子とが互いに当接することがなく、第１端子及び第２端子の損傷を確実に防止することができるとともに、手探りでの嵌合作業が容易であり、短時間で正確に嵌合作業を完了することができ、操作性が高く、信頼性の高い基板対基板コネクタを提供することを目的とする。
【課題を解決するための手段】
【００１２】
そのために、本発明の基板対基板コネクタにおいては、上側に嵌合面が形成された島部と、該島部の両側に形成された挿入凹部と、該挿入凹部の両側に形成された側壁部と、前記島部の長手方向両端に配設された第１嵌合ガイド部と、該第１嵌合ガイド部に形成されたガイド凹部とを備え、第１端子が取付けられた第１ハウジングを有する第１コネクタと、前記島部が挿入される凹溝部と、該凹溝部の両側に形成されるとともに、上側に嵌合面が形成され、前記挿入凹部に挿入される凸部と、前記凹溝部の長手方向両端に配設され、前記ガイド凹部に挿入される第２嵌合ガイド部とを備え、前記第１端子と接触する第２端子が取付けられた第２ハウジングを有し、前記第１コネクタと嵌合する第２コネクタとから成る基板対基板コネクタであって、前記ガイド凹部の入口端部の少なくとも一部には誘込み傾斜面が形成され、前記第２嵌合ガイド部をその一部を前記誘込み傾斜面に当接させてガイド凹部に挿入させる場合、前記第１ハウジングの嵌合面と前記第２ハウジングの嵌合面とが面一になった状態で前記第１端子と第２端子とが離間している。
【００１３】
本発明の他の基板対基板コネクタにおいては、さらに、前記第１ハウジングの嵌合面はフラットであり、前記第１端子のいずれの部分も前記嵌合面から突出せず、前記第２ハウジングの嵌合面はフラットであり、前記第２端子のいずれの部分も前記嵌合面から突出しない。
【００１４】
本発明の更に他の基板対基板コネクタにおいては、さらに、前記第１端子は、相互の間隔が弾性的に変化可能な第１接触部と第２接触部とを備え、前記凸部が前記挿入凹部に挿入されると、前記第２端子は前記第１接触部と第２接触部との間に進入する。
【００１５】
本発明の更に他の基板対基板コネクタにおいては、さらに、前記誘込み傾斜面は、前記嵌合面に対する傾斜が緩やかな初期傾斜面部と傾斜が急な後期傾斜面部とを備える。
【発明の効果】
【００１６】
本発明によれば、基板対基板コネクタは、第１コネクタの第１ハウジングにおける嵌合面と第２コネクタの第２ハウジングにおける嵌合面とが互いに面一になっても、第１コネクタの第１端子と第２コネクタの第２端子とが離間している。これにより、手探りでの嵌合作業中に第１ハウジングにおける嵌合面と第２ハウジングにおける嵌合面とを摺動させても第１端子と第２端子とが互いに当接することがなく、第１端子及び第２端子の損傷を確実に防止することができるとともに、手探りでの嵌合作業が容易であり、短時間で正確に嵌合作業を完了することができ、操作性及び信頼性を高くすることができる。
【発明を実施するための最良の形態】
【００１７】
以下、本発明の実施の形態について図面を参照しながら詳細に説明する。
【００１８】
図１は本発明の実施の形態における第１コネクタと第２コネクタとを嵌合した（する前の）状態を示す斜視図であり第１コネクタの嵌合面側から観た図、図２は本発明の実施の形態における第１コネクタの斜視図であり嵌合面側から観た図である。
【００１９】
図において、１は本実施の形態における一対の基板対基板コネクタの一方としての第１コネクタであり、図示されない第１基板の表面に実装される表面実装型のコネクタである。また、１０１は本実施の形態における一対の基板対基板コネクタの他方としての第２コネクタであり、図示されない第２基板の表面に実装される表面実装型のコネクタである。本実施の形態における基板対基板コネクタは、前記第１コネクタ１及び第２コネクタ１０１を含み、第１基板及び第２基板を電気的に接続する。なお、前記第１基板及び第２基板は、例えば、電子機器等に使用されるプリント回路基板であるが、いかなる種類の基板であってもよい。
【００２０】
また、本実施の形態において、基板対基板コネクタの各部の構成及び動作を説明するために使用される上、下、左、右、前、後等の方向を示す表現は、絶対的なものでなく相対的なものであり、前記基板対基板コネクタの各部が図に示される姿勢である場合に適切であるが、その姿勢が変化した場合には姿勢の変化に応じて変更して解釈されるべきものである。
【００２１】
そして、前記第１コネクタ１は、合成樹脂等の絶縁性材料によって一体的に形成されたコネクタ本体としての第１ハウジング１１を有する。該第１ハウジング１１は、図に示されるように、概略直方体である概略長方形の厚板状の形状を備え、第２コネクタ１０１が嵌入される側、すなわち、嵌合側（図２における上側）には、周囲が囲まれた概略長方形の凹部１２が形成されている。前記第１コネクタ１は、例えば、縦約１０．０〔ｍｍ〕、横約２．５〔ｍｍ〕及び厚さ約１．０〔ｍｍ〕の寸法を備えるものであるが、寸法は適宜変更することができる。そして、前記凹部１２内には島部としての第１凸部１３が第１ハウジング１１と一体的に形成され、また、前記第１凸部１３の両側には該第１凸部１３と平行に延在する側壁部１４が第１ハウジング１１と一体的に形成されている。この場合、前記第１凸部１３及び側壁部１４は、凹部１２の底部から上方に向けて突出し、第１ハウジング１１の長手方向に延在する。これにより、前記第１凸部１３の両側には、凹部１２の一部として、第１ハウジング１１の長手方向に延在する細長い挿入凹部である凹溝部１２ａが第１凸部１３と側壁部１４との間に形成される。なお、図に示される例において、前記第１凸部１３は単数であるが、複数であってもよく、その数はいくつであってもよい。また、前記第１凸部１３は、例えば、幅約０．６〔ｍｍ〕の寸法を備えるものであるが、寸法は適宜変更することができる。
【００２２】
ここで、前記第１凸部１３の両側の側面には凹溝状の第１端子収容内側キャビティ１５ａが形成されている。また、前記側壁部１４には上面１４ａ及び両側の側面に跨（またが）るようにして凹溝状の第１端子収容外側キャビティ１５ｂが形成されている。そして、前記第１端子収容内側キャビティ１５ａと第１端子収容外側キャビティ１５ｂとは、凹溝部１２ａの底部において連結され互いに一体化しているので、第１端子収容内側キャビティ１５ａと第１端子収容外側キャビティ１５ｂとを統合的に説明する場合には、第１端子収容キャビティ１５として説明する。
【００２３】
該第１端子収容キャビティ１５は、第１凸部１３の両側に、例えば、約０．４〔ｍｍ〕のピッチで１０個ずつ形成されている。そして、第１端子収容キャビティ１５の各々に収容される第１端子６１も、第１凸部１３の両側に、例えば、約０．４〔ｍｍ〕のピッチで１０個ずつ配設されている。なお、前記第１端子収容キャビティ１５のピッチ及び個数は適宜変更することができる。
【００２４】
前記第１端子６１は、導電性の金属板に打抜き、曲げ等の加工を施すことによって一体的に形成された部材であり、被保持部６３と、該被保持部６３の下端に接続されたテール部６２と、前記被保持部６３の上端に接続された上側接続部６７と、該上側接続部６７の内方端近傍に形成された第２接触部６６と、該第２接触部６６に接続された下側接続部６４と、該下側接続部６４の自由端近傍に形成された第１接触部６５とを備える。
【００２５】
そして、前記被保持部６３は、上下方向、すなわち、第１ハウジング１１の厚さ方向に延在し、前記第１端子収容外側キャビティ１５ｂに嵌入されて保持される部分である。また、前記テール部６２は、被保持部６３に対して曲げて接続され、左右方向、すなわち、第１ハウジング１１の幅方向に外方を向いて延出し、第１基板上の導電トレースに連結された接続パッドにはんだ付等によって接続される。さらに、前記上側接続部６７は、被保持部６３に対して曲げて接続され、第１ハウジング１１の幅方向に内方を向いて延出する。そして、上側接続部６７の内方端には、下方に向けて曲げられ、かつ、内方に突出する湾曲した第２接触部６６が形成されている。また、前記下側接続部６４は、前記第２接触部６６の下端に接続されたＵ字状の側面形状を備える部分である。そして、下側接続部６４の自由端、すなわち、内方の上端近傍には、Ｕ字状に曲げられ、かつ、外方に突出する湾曲した第１接触部６５が形成されている。
【００２６】
前記第１端子６１は、嵌合側から、第１端子収容キャビティ１５内に嵌入され、被保持部６３が側壁部１４の外側部分における第１端子収容外側キャビティ１５ｂの側壁によって両側から挟持されることにより、第１ハウジング１１に固定される。
【００２７】
本実施の形態において、前記第１凸部１３の上面１３ａは嵌合面であって、フラットに、すなわち、平滑に形成されている。嵌合面としての前記上面１３ａは、第２コネクタ１０１の嵌合面としての後述される第２凸部１１２の上面１１２ａ及び第２突出端部１２２の上面１２２ａとともに、第１コネクタ１と第２コネクタ１０１との嵌合の基準面として機能する。つまり、第１コネクタ１と第２コネクタ１０１とを嵌合させる嵌合作業の工程において、第１コネクタ１の第１ハウジング１１と第２コネクタ１０１の第２ハウジング１１１とを互いに近接させても、嵌合面同士が面一となるまでは第１コネクタ１と第２コネクタ１０１とは未嵌合の状態であり、嵌合面同士が面一となってから第１コネクタ１と第２コネクタ１０１との嵌合が開始される。そして、嵌合面同士が面一となっても、第１コネクタ１の第１端子６１と第２コネクタ１０１の第２端子１６１とは互いに当接することがなく、第１コネクタ１と第２コネクタ１０１との嵌合が開始されてから、第１端子６１と第２端子１６１とが当接する。
【００２８】
そして、第１ハウジング１１に固定された第１端子６１のいずれの部分も、前記第１凸部１３の上面１３ａから突出しない。また、図に示される例において、側壁部１４の上面１４ａは、第１凸部１３の上面１３ａよりも低い（第１基板に近い）位置に形成されている。そのため、第１端子６１の上側接続部６７の上面は、側壁部１４の上面１４ａとほぼ面一であっても、第１凸部１３の上面１３ａから突出しない。なお、第１端子６１の上側接続部６７の上面を側壁部１４の上面１４ａより低くするのであれば、側壁部１４の上面１４ａを第１凸部１３の上面１３ａと面一にしてもよい。
【００２９】
また、前記第１ハウジング１１の長手方向両端には第１嵌合ガイド部としての第１突出端部２１が各々配設されている。各第１突出端部２１には、前記凹部１２の一部として突出端凹部２２が形成されている。該突出端凹部２２は、略長方形の凹部であり、各凹溝部１２ａの長手方向両端に接続されている。そして、前記突出端凹部２２は、第１コネクタ１及び第２コネクタ１０１が嵌合された状態において、該第２コネクタ１０１が備える後述される第２突出端部１２２が挿入されるガイド凹部として機能する。
【００３０】
さらに、前記第１突出端部２１は、側壁部１４の長手方向両端から第１ハウジング１１の長手方向に延出する側壁延長部２１ｂと、第１ハウジング１１の短手方向に延在し、両端が側壁延長部２１ｂに接続された端壁部２１ｃとを備える。各第１突出端部２１において、端壁部２１ｃとその両端に接続された側壁延長部２１ｂとは、連続したコ字状の側壁を形成し、略長方形の突出端凹部２２の三方を画定する。
【００３１】
また、各第１突出端部２１の上面２１ａは、端壁部２１ｃとその両端に接続された側壁延長部２１ｂとの全範囲に亘（わた）って延在する連続したコ字状の１枚の平面であり、前記第１凸部１３の上面１３ａよりも高い（第１基板から遠い）位置に形成されている。
【００３２】
そして、前記上面２１ａの内側端と第１突出端部２１の内側面２１ｄとの境界部の少なくとも一部、すなわち、突出端凹部２２の入口端部の少なくとも一部（図に示される例では周囲三方向）には、誘込み傾斜面としての傾斜面部２３が形成されている。該傾斜面部２３は、上面２１ａに接続され、嵌合面に対する傾斜が比較的緩やかな初期傾斜面部２３ａと、該初期傾斜面部２３ａに一端が接続され、内側面２１ｄに他端が接続されるとともに嵌合面に対する傾斜が比較的急な後期傾斜面部２３ｂとを備える。なお、前記初期傾斜面部２３ａ及び後期傾斜面部２３ｂは、図に示される例においては平面であるが、曲面であってもよい。すなわち、傾斜面部２３の各部は、傾斜平面であってもよいし、傾斜曲面であってもよい。
【００３３】
また、前記第１突出端部２１には、補強金具としての第１補強金具５１が取付けられる。該第１補強金具５１は、金属板に打抜き、曲げ等の加工を施すことによって一体的に形成された部材であり、側壁延長部２１ｂに形成された第１金具保持凹部２６内に収容されて保持される。そして、前記第１補強金具５１の下端に形成されたテール部５２は、第１基板上の固定用のパッドにはんだ付等によって接続される。また、第１補強金具５１の上端に形成された係合凸部５３は、内側面２１ｄから突出端凹部２２内に突出し、第１コネクタ１と第２コネクタ１０１とが嵌合された状態において、第２コネクタ１０１が備える後述される第２補強金具１５１と係合する。
【００３４】
次に、前記第２コネクタ１０１の構成について説明する。
【００３５】
図３は本発明の実施の形態における第２コネクタの斜視図であり嵌合面側から観た図である。
【００３６】
第２コネクタ１０１は、合成樹脂等の絶縁性材料によって一体的に形成されたコネクタ本体としての第２ハウジング１１１を有する。該第２ハウジング１１１は、図に示されるように、概略直方体である概略長方形の厚板状の形状を備え、例えば、縦約８．０〔ｍｍ〕、横約１．５〔ｍｍ〕及び厚さ約０．８〔ｍｍ〕の寸法を備えるものであるが、寸法は適宜変更することができる。そして、第２ハウジング１１１の第１コネクタ１に嵌入される側、すなわち、嵌合側（図における上側）には、第２ハウジング１１１の長手方向に延在する細長い凹溝部１１３と、該凹溝部１１３の外側を画定するとともに、第２ハウジング１１１の長手方向に延在する細長い凸部としての第２凸部１１２とが一体的に形成されている。該第２凸部１１２は、凹溝部１１３の両側に沿って、かつ、第２ハウジング１１１の両側に沿って形成されている。また、各第２凸部１１２には、第２端子１６１が配設されている。
【００３７】
図に示されるように、凹溝部１１３は、第２基板に実装される側、すなわち、実装側（図における下面側）の面が底部によって閉止されている。なお、図に示される例において、前記第２凸部１１２は２本であるが、単数であってもよく、その数はいくつであってもよい。また、前記凹溝部１１３は、例えば、幅約０．７〔ｍｍ〕の寸法を備えるものであるが、寸法は適宜変更することができる。
【００３８】
前記第２端子１６１は、導電性の金属板に打抜き、曲げ等の加工を施すことによって一体的に形成された部材であり、第２接触部としても機能する被保持部１６３と、該被保持部１６３の下端に接続されたテール部１６２と、前記被保持部１６３の上端に接続された接続部１６４と、該接続部１６４の内方端に接続された第１接触部１６５とを備える。なお、該第１接触部１６５の表面には、第１端子６１の第１接触部６５と係合する接触凹部１６５ａが形成されている。また、前記被保持部１６３の上端近傍には、第１端子６１の第２接触部６６と係合する接触凸部１６６が形成されている。
【００３９】
そして、前記被保持部１６３は、第２ハウジング１１１に周囲を囲まれて保持されるとともに、第１端子６１の第２接触部６６と接触する部分である。また、前記テール部１６２は、被保持部１６３に対して曲げて接続され、第２ハウジング１１１の幅方向に外方を向いて延出し、第２基板上の導電トレースに連結された接続パッドにはんだ付等によって接続される。さらに、前記接続部１６４は、被保持部１６３に対して曲げて接続され、第２ハウジング１１１の幅方向に内方を向いて延出する。また、前記第１接触部１６５は、接続部１６４の内方端に曲げて接続され、下方に延出する部分である。
【００４０】
なお、前記第２凸部１１２には、その両側の側面及び上面１１２ａに跨るようにして第２端子収容キャビティ１１５が形成され、前記第２端子１６１は第２端子収容キャビティ１１５内に収容される。本実施の形態において、前記第２凸部１１２の上面１１２ａは嵌合面であって、フラットに、すなわち、平滑に形成されている。嵌合面としての前記上面１１２ａは、前記第１コネクタ１の第１凸部１３の上面１３ａとともに、第１コネクタ１と第２コネクタ１０１との嵌合の基準面として機能する。そのため、第２端子１６１の接続部１６４の上面は、前記上面１１２ａから突出しない。図に示される例において、前記接続部１６４の上面は、前記上面１１２ａと面一になっているが、該上面１１２ａより下方に位置していてもよい。
【００４１】
前記第２端子収容キャビティ１１５は、凹溝部１１３の両側に、例えば、約０．４〔ｍｍ〕のピッチで１０個ずつ形成されている。そして、第２端子収容キャビティ１１５の各々に収容される第２端子１６１も、凹溝部１１３の両側に、例えば、約０．４〔ｍｍ〕のピッチで１０個ずつ配設されている。なお、前記第２端子収容キャビティ１１５のピッチ及び個数は適宜変更することができる。
【００４２】
また、前記第２ハウジング１１１の長手方向両端には第２嵌合ガイド部としての第２突出端部１２２が各々配設されている。該第２突出端部１２２は、第２ハウジング１１１の短手方向に延在し、両端が各第２凸部１１２の長手方向両端に接続された肉厚の部材であり、その上面１２２ａは略長方形の平面である。そして、前記第２突出端部１２２は、第１コネクタ１及び第２コネクタ１０１が嵌合された状態において、前記第１コネクタ１が備える第１突出端部２１の突出端凹部２２に挿入される部分である。また、前記上面１２２ａは、第２凸部１１２の上面１１２ａと面一に形成されていてもよく、該上面１１２ａとともに、嵌合面として機能してもよい。
【００４３】
なお、図に示される例において、前記上面１２２ａの外側端と第２突出端部１２２の外側面１２２ｂとの境界部、すなわち、第２突出端部１２２の周囲三方の角部には、面取りが施されているが、面取りを省略することもできる。
【００４４】
また、前記第２突出端部１２２には、補強金具としての第２補強金具１５１が取付けられる。該第２補強金具１５１は、金属板に打抜き、曲げ等の加工を施すことによって一体的に形成された部材であり、第２突出端部１２２に形成された第２金具保持凹部１２６内に収容されて保持される。そして、第２補強金具１５１の下端に形成されたテール部１５２は、第２基板上の固定用のパッドにはんだ付等によって接続される。また、前記テール部１５２の上側に形成された係合凹部１５３は、第１コネクタ１と第２コネクタ１０１とが嵌合された状態において、第１コネクタ１が備える第１補強金具５１の係合凸部５３と係合する。
【００４５】
次に、前記構成の第１コネクタ１と第２コネクタ１０１とを嵌合する動作について説明する。
【００４６】
図４は本発明の実施の形態における突出端部を示すコネクタの断面図であり嵌合作業の第１の工程を示す図、図５は本発明の実施の形態における端子を示すコネクタの断面図であり嵌合作業の第１の工程を示す図、図６は本発明の実施の形態における突出端部を示すコネクタの断面図であり嵌合作業の第２の工程を示す図、図７は本発明の実施の形態における端子を示すコネクタの断面図であり嵌合作業の第２の工程を示す図、図８は本発明の実施の形態における突出端部を示すコネクタの断面図であり嵌合作業の第３の工程を示す図、図９は本発明の実施の形態における端子を示すコネクタの断面図であり嵌合作業の第３の工程を示す図、図１０は本発明の実施の形態における突出端部を示すコネクタの断面図であり嵌合した状態を示す図、図１１は本発明の実施の形態における端子を示すコネクタの断面図であり嵌合した状態を示す図である。
【００４７】
ここで、第１コネクタ１は、第１端子６１のテール部６２が図示されない第１基板上の導電トレースに連結された接続パッドにはんだ付等によって接続されるとともに、第１補強金具５１のテール部５２が第１基板上の固定用のパッドにはんだ付等によって接続されることにより、第１基板に表面実装されているものとする。
【００４８】
図５に示されるように、第２接触部６６の先端は、側壁部１４の第１端子収容外側キャビティ１５ｂから凹溝部１２ａ内へ突出し、第１接触部６５の先端は、第１凸部１３の第１端子収容内側キャビティ１５ａから凹溝部１２ａ内へ突出している。これにより、図１１に示されるように、凹溝部１２ａ内に挿入された第２コネクタ１０１の第２端子１６１を、第１接触部６５と第２接触部６６とによって、両側から挟込むことができる。なお、第１接触部６５及び第２接触部６６の第１ハウジング１１の厚さ方向の位置は、ほぼ同様であり、互いに対向している。
【００４９】
同様に、第２コネクタ１０１は、第２端子１６１のテール部１６２が図示されない第２基板上の導電トレースに連結された接続パッドにはんだ付等によって接続されるとともに、第２補強金具１５１のテール部１５２が第２基板上の固定用のパッドにはんだ付等によって接続されることにより、第２基板に表面実装されているものとする。
【００５０】
図５に示されるように、第１接触部１６５は第２凸部１１２の内側壁に沿って延在して露出し、被保持部１６３は第２端子収容キャビティ１１５内に位置する。なお、第１接触部１６５の表面には接触凹部１６５ａが形成され、被保持部１６３の表面には接触凸部１６６が形成されている。これにより、図１１に示されるように、凹溝部１２ａ内に挿入された第２コネクタ１０１の第２端子１６１の被保持部１６３及び第１接触部１６５は、第２端子１６１を両側から挟込む第１端子６１の第１接触部６５及び第２接触部６６と、各々、接触することができる。
【００５１】
なお、第１端子６１の第２接触部６６が第２端子１６１の接触凸部１６６と係合し、第１端子６１の第１接触部６５が第２端子１６１の接触凹部１６５ａと係合するので、第１コネクタ１と第２コネクタ１０１との嵌合を解除する力、すなわち、第１コネクタ１から第２コネクタ１０１を抜去るための抜去力を受けた場合でも、第１コネクタ１から第２コネクタ１０１を抜去ることが困難である。つまり、必要な抜去力が大きくなる。
【００５２】
ここでは、面積の広い第１基板及び第２基板に第１コネクタ１及び第２コネクタ１０１が各々実装されているので、オペレータは、第１コネクタ１の嵌合側と第２コネクタ１０１の嵌合側とを目視することができず、手探りで嵌合作業を行うものとして説明する。
【００５３】
まず、オペレータは、第１コネクタ１の嵌合側と第２コネクタ１０１の嵌合側とを対向させた状態とし、第１コネクタ１及び／又は第２コネクタ１０１を相手側に接近する方向、すなわち、嵌合方向に移動させ、第１コネクタ１と第２コネクタ１０１とを当接させる。この場合、手探りなので正確な位置合せをすることができず、図４及び５に示されるように、第１コネクタ１の中心軸と第２コネクタ１０１の中心軸とがずれてしまう。
【００５４】
具体的には、第２コネクタ１０１の中心軸が第１コネクタ１の中心軸に対して図における左側に位置するので、第２ハウジング１１１の第２突出端部１２２における上面１２２ａの図における左端の角部が、第１ハウジング１１の第１突出端部２１における突出端凹部２２の図における左端の角部に形成された初期傾斜面部２３ａに当接している。
【００５５】
ここで、オペレータが第１コネクタ１に対して第２コネクタ１０１を相対的に嵌合方向に移動させると、前記上面１２２ａの図における左端の角部が前記初期傾斜面部２３ａに沿って移動するので、第２コネクタ１０１が第１コネクタ１に対して相対的に図における右方向に移動する。すなわち、嵌合方向と直交する方向であって、第２コネクタ１０１の中心軸が第１コネクタ１の中心軸に対して接近する方向に移動する。
【００５６】
したがって、オペレータは、手探りであっても、第１コネクタ１と第２コネクタ１０１との位置がずれていること、及び、第２コネクタ１０１の位置が第１コネクタ１の図における左側にずれていることを容易に認識することができる。
【００５７】
また、前記初期傾斜面部２３ａは、嵌合面に対する傾斜が緩やか、すなわち、嵌合方向に対する傾斜が急なので、第２コネクタ１０１が第１コネクタ１に対して嵌合方向に移動する量に比較して、嵌合方向と直交する方向へ移動する量が大きくなっている。このことから、オペレータは、前記上面１２２ａの角部が前記初期傾斜面部２３ａに当接しているので、第１コネクタ１の嵌合面と第２コネクタ１０１の嵌合面とが未だに離れていることを認識することができる。
【００５８】
続いて、オペレータが第１コネクタ１に対して第２コネクタ１０１を相対的に嵌合方向に更に移動させると、図６及び７に示されるように、第１コネクタ１の中心軸と第２コネクタ１０１の中心軸とのずれが小さくなり、第２ハウジング１１１の第２突出端部１２２における上面１２２ａの図における左端の角部が、第１ハウジング１１の第１突出端部２１における突出端凹部２２の図における左端の角部に形成された後期傾斜面部２３ｂに当接する。
【００５９】
この状態で、オペレータが第１コネクタ１に対して第２コネクタ１０１を相対的に嵌合方向に更に移動させると、前記上面１２２ａの図における左端の角部が前記後期傾斜面部２３ｂに沿って移動するので、第２コネクタ１０１が第１コネクタ１に対して相対的に図における右方向に移動する。すなわち、嵌合方向と直交する方向であって、第２コネクタ１０１の中心軸が第１コネクタ１の中心軸に対して接近する方向に移動する。
【００６０】
したがって、オペレータは、手探りであっても、第１コネクタ１と第２コネクタ１０１との位置が未だにずれていること、及び、第２コネクタ１０１の位置が第１コネクタ１の図における左側に未だにずれていることを容易に認識することができる。
【００６１】
なお、前記後期傾斜面部２３ｂは、初期傾斜面部２３ａと比較して、嵌合面に対する傾斜が急なので、すなわち、嵌合方向に対する傾斜が緩やかなので、第２コネクタ１０１が第１コネクタ１に対して嵌合方向に移動する量に比較して、嵌合方向と直交する方向へ移動する量が小さくなっている。このことから、オペレータは、前記上面１２２ａの角部が前記後期傾斜面部２３ｂに当接しているので、第１コネクタ１の嵌合面と第２コネクタ１０１の嵌合面とが近接していることを認識することができる。
【００６２】
続いて、オペレータが第１コネクタ１に対して第２コネクタ１０１を相対的に嵌合方向に更に移動させると、図８及び９に示されるように、第１コネクタ１の中心軸と第２コネクタ１０１の中心軸とのずれが更に小さくなり、第１コネクタ１の嵌合面と第２コネクタ１０１の嵌合面とが面一になる。すなわち、第１ハウジング１１の第１凸部１３の上面１３ａと、第２ハウジング１１１の第２凸部１１２の上面１１２ａ及び第２突出端部１２２の上面１２２ａとが面一となる。
【００６３】
この状態では、前記上面１２２ａの図における左端の角部は、前記後期傾斜面部２３ｂの下端、すなわち、第１突出端部２１の図における左側の内側面２１ｄとの境界部と当接している。したがって、第２ハウジング１１１の第２突出端部１２２の図における左側の外側面１２２ｂと第１ハウジング１１の第１突出端部２１の図における左側の内側面２１ｄとは、面一に近い状態となっている。もっとも、第２突出端部１２２の図における右側の外側面１２２ｂと第１突出端部２１の図における右側の内側面２１ｄとは、離間している。このような左右のばらつきは、第１ハウジング１１及び第２ハウジング１１１の不可避的な寸法公差に起因するものである。
【００６４】
つまり、第１ハウジング１１及び第２ハウジング１１１は、製品である以上、不可避的にある程度の寸法公差を有するものである。したがって、第１突出端部２１における左右の内側面２１ｄ間の寸法と、第２突出端部１２２における左右の外側面１２２ｂ間の寸法とが厳密に一致することはあり得ず、一方の側の内側面２１ｄと外側面１２２ｂとの位置を合せれば、他方の側の内側面２１ｄと外側面１２２ｂとの位置がある程度ずれることは不可避である。
【００６５】
このことは、第１端子６１と第２端子１６１との左右方向の位置関係についても同様である。図９に示される例において、左側の第１端子６１と第２端子１６１とは左右方向にほぼ位置合せされているのに対し、右側の第１端子６１と第２端子１６１とは左右方向にある程度位置がずれている。
【００６６】
なお、図９に示されるように、第１コネクタ１の嵌合面と第２コネクタ１０１の嵌合面とが面一になった状態では、第１端子６１の各部分と第２端子１６１の各部分とは、嵌合方向又は該嵌合方向と直交する方向に離間しているので、第１端子６１と第２端子１６１とは、いかなる部分においても、当接することがない。
【００６７】
続いて、オペレータが、第１コネクタ１に対して第２コネクタ１０１を相対的に嵌合方向に更に移動させると、第１コネクタ１と第２コネクタ１０１との嵌合が開始される。そして、第２コネクタ１０１の左右の第２凸部１１２が第１コネクタ１の左右の凹溝部１２ａ内に挿入され、第１端子６１の第１接触部６５と第２端子１６１の第１接触部１６５とが接触し、第１端子６１の第２接触部６６と第２端子１６１の被保持部１６３とが接触する。
【００６８】
これにより、図１０及び１１に示されるように、第１コネクタ１と第２コネクタ１０１との嵌合が完了すると、第１端子６１と第２端子１６１とが導通した状態となるので、その結果、第１端子６１のテール部６２が接続された第１基板上の接続パッドに接続された導電トレースと、第２端子１６１のテール部１６２が接続された第２基板上の接続パッドに接続された導電トレースとが導通する。この場合、第１端子６１と第２端子１６１とが多点接触となるので、導通状態が確実に維持される。
【００６９】
また、第１端子６１の第１接触部６５が第２端子１６１の接触凹部１６５ａと係合し、第１端子６１の第２接触部６６が第２端子１６１の接触凸部１６６と係合した状態となる。さらに、第１コネクタ１が備える第１補強金具５１の係合凸部５３が第２コネクタ１０１が備える第２補強金具１５１の係合凹部１５３と係合した状態となる。そのため、第１コネクタ１と第２コネクタ１０１との嵌合を解除する力、すなわち、第１コネクタ１から第２コネクタ１０１を抜去るための抜去力を受けた場合でも、第１コネクタ１から第２コネクタ１０１を抜去ることが困難である。つまり、必要な抜去力が大きくなる。
【００７０】
なお、第１端子６１が弾性を備えるので、第１接触部６５と第２接触部６６との間隔は、第２端子１６１を進入させることによって押広げることが可能である。また、第１接触部６５及び第２接触部６６の上端部分は外側に開く曲面形状を備え、第１接触部６５と第２接触部６６との間隔は上に行くほど広がっている。さらに、第２端子１６１の接続部１６４と被保持部１６３及び第１接触部１６５との接続部分は曲面形状を備える。そのため、第１端子６１と第２端子１６１とは、左右方向にある程度位置がずれていても、第２コネクタ１０１を下方向に移動させると、第２端子１６１は、第１端子６１の第１接触部６５と第２接触部６６との間にスムーズに進入し、自動的に整列させられる。すなわち、セルフアライメントが行われる。
【００７１】
したがって、第１コネクタ１の嵌合面と第２コネクタ１０１の嵌合面とが面一になった状態であれば、図９に示されるように、第１端子６１と第２端子１６１との左右方向の位置ずれは、あるにしても微小なものであるから、オペレータは、第１コネクタ１に対して第２コネクタ１０１を相対的に嵌合方向に更に移動させるだけで、第１接触部６５と第２接触部６６との間に第２端子１６１を進入させ、嵌合を完了させることができる。
【００７２】
つまり、第１コネクタ１の嵌合面と第２コネクタ１０１の嵌合面とが面一の状態になってから以降は、第２コネクタ１０１を第１コネクタ１に対して相対的に図における左右方向、すなわち、嵌合方向と直交する方向に移動させて位置合せを行う必要がなく、第２コネクタ１０１を第１コネクタ１に対して嵌合方向のみに移動させれば嵌合を完了させることができる。
【００７３】
このように、本実施の形態においては、第１コネクタ１の嵌合面と第２コネクタ１０１の嵌合面とが面一になっても、第１端子６１と第２端子１６１とが離間して当接しないようになっている。そのため、オペレータが手探りでの嵌合作業を開始してから第１コネクタ１の嵌合面と第２コネクタ１０１の嵌合面とが面一になるまでの工程において、すなわち、第１コネクタ１と第２コネクタ１０１とが未嵌合の状態においては、第２コネクタ１０１を第１コネクタ１に対して相対的に図４〜１１における左右方向、すなわち、嵌合方向と直交する方向に手探りで移動させても、第１端子６１と第２端子１６１とは、互いに当接しないので、無用に擦れ合うことがなく、損傷を受けることがない。
【００７４】
そして、第１コネクタ１の嵌合面と第２コネクタ１０１の嵌合面とが面一となると真の意味で第１コネクタ１と第２コネクタ１０１との嵌合が開始され、それ以降は第１端子６１と第２端子１６１とが当接する。しかし、第１コネクタ１と第２コネクタ１０１との嵌合が開始された後は、第２コネクタ１０１を第１コネクタ１に対して嵌合方向のみに移動させればよく、嵌合方向と直交する方向に移動させる必要がないので、第１端子６１と第２端子１６１とが無用に擦れ合うことがない。
【００７５】
なお、第１コネクタ１と第２コネクタ１０１との嵌合が開始されてから嵌合が完了するまでには、第２端子１６１が第１端子６１の第１接触部６５と第２接触部６６との間に進入するので、第１端子６１の一部と第２端子１６１の一部とが擦れ合うこととなる。しかし、これによって第１端子６１及び第２端子１６１が受ける損傷は、第１端子６１と第２端子１６１とを確実に結合させ、導通状態を確実に維持する構造上、不可避のものである。これに対し、第１コネクタ１の嵌合面と第２コネクタ１０１の嵌合面とが面一になるまでの工程における第１端子６１と第２端子１６１との接触は、仮に、オペレータが、第１コネクタ１の嵌合側と第２コネクタ１０１の嵌合側とを十分に目視することができ、手探りで第２コネクタ１０１を第１コネクタ１に対して嵌合方向と直交する方向に移動させる必要がなければ、避け得るものである。
【００７６】
つまり、本実施の形態によれば、第１コネクタ１の嵌合側と第２コネクタ１０１の嵌合側とを目視することができず、手探りで嵌合作業を行う場合に発生する第１端子６１及び第２端子１６１の損傷を確実に防止することができる。
【００７７】
また、本実施の形態においては、突出端凹部２２の角部に形成された傾斜面部２３が嵌合面に対する傾斜が緩やかな初期傾斜面部２３ａと傾斜が急な後期傾斜面部２３ｂとを備える。これにより、第２ハウジング１１１の第２突出端部１２２が第１ハウジング１１の第１突出端部２１の突出端凹部２２内にスムーズに誘込まれるので、第２コネクタ１０１を第１コネクタ１に対して容易に位置合せすることができる。
【００７８】
なお、本実施の形態においては、嵌合方向と直交する方向が図４〜１１における横方向、すなわち、第１ハウジング１１及び第２ハウジング１１１の幅方向である場合についてのみ説明したが、嵌合方向と直交する方向が図４〜１１における図面に垂直な方向、すなわち、第１ハウジング１１及び第２ハウジング１１１の長手方向の場合も同様である。つまり、オペレータが手探りによって第２コネクタ１０１を第１コネクタ１に対して相対的に図面に垂直な方向に移動させる場合も、同様の動作を行うだけでよく、同様の効果を得ることができる。
【００７９】
また、本発明は前記実施の形態に限定されるものではなく、本発明の趣旨に基づいて種々変形させることが可能であり、それらを本発明の範囲から排除するものではない。
【図面の簡単な説明】
【００８０】
【図１】本発明の実施の形態における第１コネクタと第２コネクタとを嵌合した（する前の）状態を示す斜視図であり第１コネクタの嵌合面側から観た図である。
【図２】本発明の実施の形態における第１コネクタの斜視図であり嵌合面側から観た図である。
【図３】本発明の実施の形態における第２コネクタの斜視図であり嵌合面側から観た図である。
【図４】本発明の実施の形態における突出端部を示すコネクタの断面図であり嵌合作業の第１の工程を示す図である。
【図５】本発明の実施の形態における端子を示すコネクタの断面図であり嵌合作業の第１の工程を示す図である。
【図６】本発明の実施の形態における突出端部を示すコネクタの断面図であり嵌合作業の第２の工程を示す図である。
【図７】本発明の実施の形態における端子を示すコネクタの断面図であり嵌合作業の第２の工程を示す図である。
【図８】本発明の実施の形態における突出端部を示すコネクタの断面図であり嵌合作業の第３の工程を示す図である。
【図９】本発明の実施の形態における端子を示すコネクタの断面図であり嵌合作業の第３の工程を示す図である。
【図１０】本発明の実施の形態における突出端部を示すコネクタの断面図であり嵌合した状態を示す図である。
【図１１】本発明の実施の形態における端子を示すコネクタの断面図であり嵌合した状態を示す図である。
【図１２】従来の基板対基板コネクタを示す断面図である。
【符号の説明】
【００８１】
１    第１コネクタ
１１、８１１    第１ハウジング
１２    凹部
１２ａ、１１３、８１２    凹溝部
１３    第１凸部
１３ａ、１４ａ、２１ａ、１１２ａ、１２２ａ    上面
１４    側壁部
１５ａ    第１端子収容内側キャビティ
１５ｂ    第１端子収容外側キャビティ
２１    第１突出端部
２１ｂ    側壁延長部
２１ｃ    端壁部
２１ｄ    内側面
２２    突出端凹部
２３    傾斜面部
２３ａ    初期傾斜面部
２３ｂ    後期傾斜面部
２６    第１金具保持凹部
５１    第１補強金具
５２、６２、１５２、１６２、８６２、９６２    テール部
５３    係合凸部
６１、８６１    第１端子
６３、１６３    被保持部
６４    下側接続部
６５、１６５、８６４    第１接触部
６６、８６５    第２接触部
６７    上側接続部
１０１    第２コネクタ
１１１、９１１    第２ハウジング
１１２    第２凸部
１１５    第２端子収容キャビティ
１２２    第２突出端部
１２２ｂ    外側面
１２６    第２金具保持凹部
１５１    第２補強金具
１５３    係合凹部
１６１、９６１    第２端子
１６４    接続部
１６５ａ    接触凹部
１６６    接触凸部
８２２    突出部
８９１    第１回路基板
９１２    挿入用凸部
９６４    接触部
９９１    第２回路基板
【図１】
2010097724.tif 000003
【図２】
2010097724.tif 000004
【図３】
2010097724.tif 000005
【図４】
2010097724.tif 000006
【図５】
2010097724.tif 000007
【図６】
2010097724.tif 000008
【図７】
2010097724.tif 000009
【図８】
2010097724.tif 000010
【図９】
2010097724.tif 000011
【図１０】
2010097724.tif 000012
【図１１】
2010097724.tif 000013
【図１２】
2010097724.tif 000014